【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
複数の業務用螺条付き締結具の同時締めのために、複数のネットワーク化された電気動力式トルク工具、及び／又は、各トルク工具の駆動部分を有するボルト締めシステムと共に使用される操作パラメータ調整ユニットにおいて、
前記操作パラメータ調整ユニットは、
処理ユニットと、
前記処理ユニットに対して接続及び／又は一体化された出力ユニットと、
前記処理ユニットに対して接続及び／又は一体化された入力ユニットと、
前記複数のネットワーク化された電気動力式トルク工具及び／又は各トルク工具の駆動部分の操作ユニットを起動すべく、前記処理ユニットに対して接続及び／又は一体化された起動ユニットと、
前記複数のネットワーク化された電気動力式トルク工具及び／又は各トルク工具の駆動部分の各々の操作パラメータを制御して、各操作パラメータ間の差を所定値以内に維持する制御ユニットとを含む、操作パラメータ調整ユニット。
【請求項２】
前記操作パラメータは、電流、電圧及び／又は磁界を含む工具の電気回路パラメータ、工具トルク出力値、締結具の回転速度、締結具のプレテンション力、締結具の回転角度、締結具の伸び、締結具及び／又は工具の捩れ、反作用取付具の側方負荷、締結具の摩擦抵抗、及び／又は、それらの任意の組み合わせ、のいずれかを含む、請求項１に記載の操作パラメータ調整ユニット。
【請求項３】
動作の間に、前記複数のネットワーク化された電気動力式トルク工具及び／又は各トルク工具の駆動部分の各操作パラメータ間の前記差が前記所定値を超過した場合、
増大された単一もしくは複数の操作パラメータを有する単一もしくは複数の工具及び／又は各駆動部分の単一もしくは複数の操作パラメータを終了すること、
増大された単一もしくは複数の操作パラメータを有する単一もしくは複数の工具及び／又は各駆動部分の単一もしくは複数の操作パラメータを低下させること、
減少された単一もしくは複数の操作パラメータを有する単一もしくは複数の工具及び／又は各駆動部分の単一もしくは複数の操作パラメータを上昇させること、又は、
因果的に、同時的に、及び／又は、所定順序のいずれかにて、斯かる作用の任意の１つ以上を、任意の１つ以上の斯かる工具及び／又は駆動部分に対して実施すること、
のいずれかにより、単一もしくは複数の操作パラメータにおける前記差が前記所定値以内に戻るまで、前記制御ユニットは各工具及び／又は駆動部分の各操作パラメータを調整する、請求項１又は２に記載の操作パラメータ調整ユニット。
【請求項４】
当該操作パラメータ調整ユニットは、前記処理ユニットに対して接続及び／又は一体化されたデータ捕捉ユニットを含み、
前記処理ユニットは、前記データ捕捉ユニットにより決定された締結具接続プロセス・パラメータに基づき、当該操作パラメータ調整ユニット上で設定されるべき前記所定値の出力に対して設計される、請求項１〜３のいずれか一項に記載の操作パラメータ調整ユニット。
【請求項５】
前記データ捕捉ユニットは、可搬式のコード読取デバイス、及び／又は、RFID受信器、及び／又は、書き込みユニットとして設計されることを特徴とする、請求項４に記載の操作パラメータ調整ユニット。
【請求項６】
記憶ユニットを含む、請求項１〜５のいずれか一項に記載の操作パラメータ調整ユニット。
【請求項７】
衛星、Wi-Fi、WiMax、Bluetooth、ZigBee、マイクロ波、赤外線、及び／又は、無線を含む任意の適切な手段により、前記複数のネットワーク化された電気動力式トルク工具及び／又は各トルク工具の駆動部分との無線接続に対して設計された、請求項１〜６のいずれか一項に記載の操作パラメータ調整ユニット。
【請求項８】
前記複数のネットワーク化された電気動力式トルク工具及び／又は各トルク工具の駆動部分の各操作パラメータの直接的及び／又は間接的な測定のためのセンサ・ユニットを含む、請求項１〜７のいずれか一項に記載の操作パラメータ調整ユニット。
【請求項９】
前記データ捕捉ユニットは、前記処理ユニットとの無線接続に対して設計されることを特徴とする、請求項１〜８のいずれか一項に記載の操作パラメータ調整ユニット。
【請求項１０】
実現されたボルト締め接続の文書化に対して設計された、請求項１〜９のいずれか一項に記載の操作パラメータ調整ユニット。
【請求項１１】
各締結具接続プロセス・パラメータは、操作員、動力操作式の工具、締結具接続対象物、及び、締結具式接続器具に基づいて決定されることを特徴とする、請求項４に記載の操作パラメータ調整ユニット。
【請求項１２】
請求項１〜１１のいずれか一項に記載の操作パラメータ調整ユニットを含む、電気動力式トルク工具。
【請求項１３】
携帯式及び／又は可搬式の種類である、請求項１２に記載の電気動力式トルク工具。
【請求項１４】
請求項１〜１１のいずれか一項に記載の操作パラメータ調整ユニットを含む、複数の業務用螺条付き締結具の同時締めのための業務用ボルト締めシステム。
【請求項１５】
請求項１２又は１３に記載の一台の電気動力式トルク工具により制御される、複数のネットワーク化された電気動力式トルク工具及び／又は各トルク工具の駆動部分を含む、請求項１４に記載の業務用ボルト締めシステム。
【請求項１６】
請求項１２又は１３に記載の一台の電気動力式トルク工具により制御される、各電気動力式トルク工具の複数のネットワーク化された駆動部分を含む、請求項１４に記載の業務用ボルト締めシステム。
【請求項１７】
前記操作パラメータ調整ユニットは、可搬式デバイス内に形成され、且つ、当該業務用ボルト締めシステムは、
複数のネットワーク化された電気動力式トルク工具、
複数のネットワーク化されたトルク工具の電気動力式駆動部分、又は、
それらの任意の組み合わせ、
のいずれかを含む、請求項１４に記載の業務用ボルト締めシステム。
【請求項１８】
前記ネットワーク化された電気動力式トルク工具、及び／又は、前記ネットワーク化されたトルク工具の電気動力式駆動部分は、携帯式及び／又は可搬式の種類である、請求項１４〜１７のいずれか一項に記載の業務用ボルト締めシステム。
【請求項１９】
前記操作パラメータ調整ユニットは、前記複数のネットワーク化された電気動力式トルク工具及び／又は各トルク工具の駆動部分を自動的に制御する、請求項１４〜１８のいずれか一項に記載の業務用ボルト締めシステム。
【請求項２０】
前記複数のネットワーク化された電気動力式トルク工具及び／又は各トルク工具の駆動部分の内の少なくとも１つのものの前記起動ユニットは、操作者により手動的に制御されるトリガとして形成される、請求項１４〜１８のいずれか一項に記載の業務用ボルト締めシステム。
【請求項２１】
SIMULTORC（登録商標）、すなわち、ハイトーク（登録商標）ディビジョン  ユネックス  コーポレイションが所有するボルト締め方法を達成して、フランジの接合部漏出、接合部破損、及び／又は、ガスケット緩衝蓋体の圧壊による操作者の負傷、特性損失、及び／又は、生産損失の虞れを最小限度に抑えるParallel Joint Closure（登録商標）及び接合完全性を確実とする、請求項１４〜２０のいずれか一項に記載の業務用ボルト締めシステム。
【請求項２２】
前記複数のネットワーク化された電気動力式トルク工具及び／又は各トルク工具の駆動部分の各々は、前記締結具接続対象物の回りにおける各螺条付き締結具上で相互から等距離に配置される、請求項１４〜２１のいずれか一項に記載の業務用ボルト締めシステム。
【請求項２３】
前記複数のネットワーク化された電気動力式トルク工具及び／又は各トルク工具の駆動部分は、単一台もしくは複数台の時間及び／又は位置捕捉ユニットを含む、請求項１４〜２２のいずれか一項に記載の業務用ボルト締めシステム。
【請求項２４】
前記単一台もしくは複数台の時間及び／又は位置捕捉ユニットは、ボルト締め操作の遠隔的な、非監視的な、及び／又は、自動的な実施を許容するドローン飛行機能の如き自動化増進機能を含む、請求項２３に記載の業務用ボルト締めシステム。
【請求項２５】
前記複数のネットワーク化された電気動力式トルク工具及び／又は各トルク工具の駆動部分が各螺条付き締結具を締め且つ／又は緩めるべく利用可能なときを決定することにより前記操作ユニットを起動可能とする検知ユニットを含む、請求項１４〜２４のいずれか一項に記載の業務用ボルト締めシステム。
【請求項２６】
前記複数のネットワーク化された電気動力式トルク工具及び／又は各トルク工具の駆動部分の各々の操作パラメータ間の差を所定値以内に維持する段階を含む、請求項１４〜２５のいずれか一項に記載の業務用ボルト締めシステムを自動的に制御する方法。
【請求項２７】
前記複数のネットワーク化された電気動力式トルク工具及び／又は各トルク工具の駆動部分の各々を、前記締結具接続対象物の回りにおける各螺条付き締結具上で相互から等距離に配置する段階を含む、請求項２６に記載の方法。
【請求項２８】
前記複数のネットワーク化された電気動力式トルク工具及び／又は各トルク工具の駆動部分の各々は、ボルト締め操作の実施のために、遠隔的な、非監視的な、及び／又は、自動的な載置及び移動を許容するドローン飛行機能の如き自動化増進機能を有する単一台もしくは複数台の時間及び／又は位置捕捉ユニットを含む、請求項２６に記載の方法。